(57)【要約】【課題】物品をそのサイズ等に応じて適切に拘束・固定できるとともに、物品の拘束手段の位置調整を容易に行うことができる運搬用パレットを提供する。【解決手段】支持体１と、これに支持される１対の負荷材２と、１対の負荷材２にそれぞれ支持され、物品を一方向で拘束する１対の拘束金具３と、各負荷材２の長手方向における拘束金具３の両側位置において、各負荷材２にそれぞれ支持され、物品を他方向で拘束する１対の拘束金具４を備え、１対の負荷材２は、支持体１にスライド移動可能に支持され且つ締結手段５により任意のスライド移動位置で固定可能であり、各拘束金具３は、負荷材２に負荷材長手方向及び幅方向にスライド移動可能に支持され且つ締結手段６により任意のスライド移動位置で固定可能であり、各拘束金具４は、負荷材２に負荷材長手方向にスライド移動可能に支持され且つ締結手段７により任意のスライド移動位置で固定可能である。【選択図】図１
2018104021.tif 000002
【特許請求の範囲】
【請求項１】
支持体（１）と、該支持体（１）に並列した状態で支持される１対の負荷材（２）と、該１対の負荷材（２）にそれぞれ支持され、負荷材（２）に載置された物品を一方向で両側から挟んで拘束する１対の拘束金具（３）と、各負荷材（２）の長手方向における拘束金具（３）の両側位置において、各負荷材（２）にそれぞれ支持され、負荷材（２）に載置された物品を、前記１対の拘束金具（３）による拘束方向と直交する方向で両側から挟んで拘束する１対の拘束金具（４）とを備え、
１対の負荷材（２）は、支持体（１）に水平方向で且つ互いに接近離間する方向にスライド移動可能に支持されるとともに、負荷材（２）を支持体（１）に締結する締結手段（５）により、任意のスライド移動位置において支持体（１）に固定可能であり、
各拘束金具（３）は、負荷材（２）に負荷材長手方向及び負荷材幅方向にスライド移動可能に支持されるとともに、拘束金具（３）を負荷材（２）に締結する締結手段（６）により、任意のスライド移動位置において負荷材（２）に固定可能であり、
各拘束金具（４）は、負荷材（２）に負荷材長手方向にスライド移動可能に支持されるとともに、拘束金具（４）を負荷材（２）に締結する締結手段（７）により、任意のスライド移動位置において負荷材（２）に固定可能であることを特徴とする運搬用パレット。
【請求項２】
支持体（１）の両側部には、負荷材長手方向と直交する方向に沿ったガイド孔（１００）が形成されるとともに、負荷材（２）の両端部にはボルト挿通孔（２１）が形成され、
締結手段（５）は、ボルト挿通孔（２１）とガイド孔（１００）に対して上下に挿通されたボルト（５０）と該ボルト（５０）に装着されるナット（５１）を備え、
各負荷材（２）は、ボルト（５０）がガイド孔（１００）に案内されることで、支持体（１）に対してスライド移動可能であるとともに、任意のスライド移動位置において締結手段（５）のボルト（５０）・ナット（５１）を締め込むことにより支持体（１）に対して固定可能であり、
各負荷材（２）には、負荷材長手方向に沿ってガイド孔（２０）が形成され、
各拘束金具（３）は、負荷材（２）の上面にスライド移動可能に当接する基板部（３０）と、該基板部（３０）の一端側に立設され、負荷材（２）に載置された物品に当接する拘束部（３１）を有し、基板部（３０）には負荷材幅方向に沿ってガイド孔（３２）が形成され、
締結手段（６）は、ガイド孔（３２）とガイド孔（２０）に対して上下に挿通されたボルト（６０）と該ボルト（６０）に装着されるナット（６１）を備え、
各拘束金具（３）は、ボルト（６０）がガイド孔（３２）とガイド孔（２０）に案内されることで、負荷材（２）に対して負荷材長手方向及び負荷材幅手方向にスライド移動可能であるとともに、任意のスライド移動位置において締結手段（６）のボルト（６０）・ナット（６１）を締め込むことにより負荷材（２）に対して固定可能であり、
各拘束金具（４）は、負荷材（２）の上面にスライド移動可能に当接する基板部（４０）と、該基板部（４０）の一端側に立設され、負荷材（２）に載置された物品に当接する拘束部（４１）を有し、基板部（４０）にはボルト挿通孔（４２）が形成され、
締結手段（７）は、ボルト挿通孔（４２）とガイド孔（２０）に対して上下に挿通されたボルト（７０）と該ボルト（７０）に装着されるナット（７１）を備え、
各拘束金具（４）は、ボルト（６０）がガイド孔（２０）に案内されることで、負荷材（２）に対して負荷材長手方向にスライド移動可能であるとともに、任意のスライド移動位置において締結手段（７）のボルト（７０）・ナット（７１）を締め込むことにより負荷材（２）に対して固定可能であることを特徴とする請求項１に記載の運搬用パレット。
【請求項３】
ガイド孔（２０）として、各負荷材（２）の幅方向両側部に形成された１対のガイド孔（２０x），（２０y）を有し、
ガイド孔（３２）として、負荷材長手方向で並列して形成された１対のガイド孔（３２a），（３２b）を有し、
ボルト挿通孔（４２）として、負荷材幅方向で並列して形成された１対のボルト挿通孔（４２a），（４２b）を有し、
締結手段（６）として、ガイド孔（３２a）と負荷材幅方向における機体外方側のガイド孔（２０x）に対して上下に挿通されたボルト（６０）と該ボルト（６０）に装着されるナット（６１）を備えた締結手段（６a）と、ガイド孔（３２b）とガイド孔（２０x）に対して上下に挿通されたボルト（６０）と該ボルト（６０）に装着されるナット（６１）を備えた締結手段（６b）を有し、
締結手段（７）として、ボルト挿通孔（４２a）とガイド孔（２０x）に対して上下に挿通されたボルト（７０）と該ボルト（７０）に装着されるナット（７１）を備えた締結手段（７a）と、ボルト挿通孔（４２b）とガイド孔（２０y）に対して上下に挿通されたボルト（７０）と該ボルト（７０）に装着されるナット（７１）を備えた締結手段（７b）を有することを特徴とする請求項２に記載の運搬用パレット。
【請求項４】
負荷材（２）に、ガイド孔（２０）に挿通されたボルト（８０）と該ボルト（８０）に装着されるナット（８１）を備えた物品連結手段（８）を負荷材長手方向でスライド移動可能に設け、負荷材（２）に載置された物品側の部材に形成された挿通孔にボルト（８０）を挿通させてボルト（８０）・ナット（８１）を締め込むことにより、負荷材（２）に載置された物品と負荷材（２）を連結できるようにしたことを特徴とする請求項１〜３のいずれかに記載の運搬用パレット。
【請求項５】
支持体（１）が、負荷材（２）を支持する本体部（１０）と、該本体部（１０）を支える複数本の脚部（１１）と、該脚部（１１）の上部に連成される柱部（１２）を備え、
各脚部（１１）の下端と各柱部（１２）の上端のうち、いずれか一方に嵌合用穴部（１３）が、他方に嵌合用凸部（１４）がそれぞれ設けられ、パレットを上下に重ねた際に、一方のパレットの嵌合用穴部（１３）に他方のパレットの嵌合用凸部（１４）が嵌合されるようにしたことを特徴とする請求項１〜４のいずれかに記載の運搬用パレット。
【請求項６】
１対の拘束金具（３）を２組以上有することを特徴とする請求項１〜５のいずれかに記載の運搬用パレット。
【請求項７】
さらに、１対の負荷材（２）間で支持体（１）に支持される１つ以上の負荷材（２Ａ）と、該負荷材（２Ａ）に支持され、負荷材（２），（２Ａ）に載置された物品を、１対の拘束金具（３）による拘束方向と直交する方向で両側から挟んで拘束する１対の拘束金具（４Ａ）とを備え、
負荷材（２Ａ）は、支持体（１）に水平方向で且つ負荷材（２）に対して接近離間する方向にスライド移動可能に支持されるとともに、負荷材（２Ａ）を支持体（１）に締結する締結手段（５Ａ）により、任意のスライド移動位置において支持体（１）に固定可能であり、
各拘束金具（４Ａ）は、負荷材（２Ａ）に負荷材長手方向にスライド移動可能に支持されるとともに、拘束金具（４Ａ）を負荷材（２Ａ）に締結する締結手段（７Ａ）により、任意のスライド移動位置において負荷材（２Ａ）に固定可能であることを特徴とする請求項１〜６のいずれかに記載の運搬用パレット。
【発明の詳細な説明】
【技術分野】
【０００１】
本発明は、各種物品を運搬する際に使用する運搬用パレット、特に精密製品などの輸送に好適な運搬用パレットに関する。
【背景技術】
【０００２】
従来、工業製品をはじめとする各種物品を輸送するために、運搬用パレットが用いられている。しかし、従来広く使用されている汎用型の運搬用パレットは、載置された物品を荷動きが生じないように確実に拘束・固定することが難しい問題があり、精密製品などの輸送には不向きである。
【０００３】
一方、載置された物品を拘束・固定して荷動きを防止できるようにした運搬用パレットとして、例えば、特許文献１には、パレット本体と、このパレット本体に着脱可能に装着され、物品を側方から支持する複数のサイドサポート部材を備えたパレットが示されている。このパレットは、パレット本体の上面側に形成された案内溝にサイドサポート部材下端の足部を嵌め込むことで、サイドサポート部材がパレット本体に装着される。
また、特許文献２には、治具取付用の多数の小孔を設けた基板上に、物品支持用の複数の治具を配置し、小孔を挿通するボルト及びナットにより治具を基板に固定した上で、治具に物品を支持させるようにしたパレットが示されている。
【先行技術文献】
【特許文献】
【０００４】
【特許文献１】特開２００９−４６１９１号公報
【特許文献２】特開平９−１５６６４２号公報
【発明の概要】
【発明が解決しようとする課題】
【０００５】
しかし、特許文献１のパレットは、サイドサポート部材の取付位置がパレット本体の上面側に形成された案内溝の位置で決まるため、サイドサポート部材の細かい位置調整ができず、物品のサイズによっては適切に拘束・固定できない場合がある。また、サイドサポート部材は、板状本体の下端に形成された足部を案内溝に嵌め込むだけでパレット本体に支持されるため、支持構造が脆弱であり、物品を安定的に拘束・固定できない恐れがある。
【０００６】
また、特許文献２のパレットも、治具の取付位置が基板に形成された小孔の位置で決まるため、治具の細かい位置調整ができず、物品のサイズによっては適切に拘束・固定できない場合がある。また、基板に対する複数の治具の取付位置を物品のサイズや形状によって変える必要があるが、治具はボルト・ナットで基板に固定されるため、治具の取り外しや取り付けに煩雑な作業が必要となる。
【０００７】
したがって本発明の目的は、以上のような従来技術の課題を解決し、物品をそのサイズや形状に応じて適切に拘束・固定することができるとともに、物品の拘束手段の位置調整を簡単且つ迅速に行うことができる運搬用パレットを提供することにある。
【課題を解決するための手段】
【０００８】
上記課題を解決するための本発明の要旨は以下のとおりである。
［1］支持体（１）と、該支持体（１）に並列した状態で支持される１対の負荷材（２）と、該１対の負荷材（２）にそれぞれ支持され、負荷材（２）に載置された物品を一方向で両側から挟んで拘束する１対の拘束金具（３）と、各負荷材（２）の長手方向における拘束金具（３）の両側位置において、各負荷材（２）にそれぞれ支持され、負荷材（２）に載置された物品を、前記１対の拘束金具（３）による拘束方向と直交する方向で両側から挟んで拘束する１対の拘束金具（４）とを備え、
１対の負荷材（２）は、支持体（１）に水平方向で且つ互いに接近離間する方向にスライド移動可能に支持されるとともに、負荷材（２）を支持体（１）に締結する締結手段（５）により、任意のスライド移動位置において支持体（１）に固定可能であり、
各拘束金具（３）は、負荷材（２）に負荷材長手方向及び負荷材幅方向にスライド移動可能に支持されるとともに、拘束金具（３）を負荷材（２）に締結する締結手段（６）により、任意のスライド移動位置において負荷材（２）に固定可能であり、
各拘束金具（４）は、負荷材（２）に負荷材長手方向にスライド移動可能に支持されるとともに、拘束金具（４）を負荷材（２）に締結する締結手段（７）により、任意のスライド移動位置において負荷材（２）に固定可能であることを特徴とする運搬用パレット。
【０００９】
［2］上記［1］の運搬用パレットにおいて、支持体（１）の両側部には、負荷材長手方向と直交する方向に沿ったガイド孔（１００）が形成されるとともに、負荷材（２）の両端部にはボルト挿通孔（２１）が形成され、
締結手段（５）は、ボルト挿通孔（２１）とガイド孔（１００）に対して上下に挿通されたボルト（５０）と該ボルト（５０）に装着されるナット（５１）を備え、
各負荷材（２）は、ボルト（５０）がガイド孔（１００）に案内されることで、支持体（１）に対してスライド移動可能であるとともに、任意のスライド移動位置において締結手段（５）のボルト（５０）・ナット（５１）を締め込むことにより支持体（１）に対して固定可能であり、
各負荷材（２）には、負荷材長手方向に沿ってガイド孔（２０）が形成され、
各拘束金具（３）は、負荷材（２）の上面にスライド移動可能に当接する基板部（３０）と、該基板部（３０）の一端側に立設され、負荷材（２）に載置された物品に当接する拘束部（３１）を有し、基板部（３０）には負荷材幅方向に沿ってガイド孔（３２）が形成され、
締結手段（６）は、ガイド孔（３２）とガイド孔（２０）に対して上下に挿通されたボルト（６０）と該ボルト（６０）に装着されるナット（６１）を備え、
各拘束金具（３）は、ボルト（６０）がガイド孔（３２）とガイド孔（２０）に案内されることで、負荷材（２）に対して負荷材長手方向及び負荷材幅手方向にスライド移動可能であるとともに、任意のスライド移動位置において締結手段（６）のボルト（６０）・ナット（６１）を締め込むことにより負荷材（２）に対して固定可能であり、
各拘束金具（４）は、負荷材（２）の上面にスライド移動可能に当接する基板部（４０）と、該基板部（４０）の一端側に立設され、負荷材（２）に載置された物品に当接する拘束部（４１）を有し、基板部（４０）にはボルト挿通孔（４２）が形成され、
締結手段（７）は、ボルト挿通孔（４２）とガイド孔（２０）に対して上下に挿通されたボルト（７０）と該ボルト（７０）に装着されるナット（７１）を備え、
各拘束金具（４）は、ボルト（６０）がガイド孔（２０）に案内されることで、負荷材（２）に対して負荷材長手方向にスライド移動可能であるとともに、任意のスライド移動位置において締結手段（７）のボルト（７０）・ナット（７１）を締め込むことにより負荷材（２）に対して固定可能であることを特徴とする運搬用パレット。
【００１０】
［3］上記［2］の運搬用パレットにおいて、ガイド孔（２０）として、各負荷材（２）の幅方向両側部に形成された１対のガイド孔（２０x），（２０y）を有し、
ガイド孔（３２）として、負荷材長手方向で並列して形成された１対のガイド孔（３２a），（３２b）を有し、
ボルト挿通孔（４２）として、負荷材幅方向で並列して形成された１対のボルト挿通孔（４２a），（４２b）を有し、
締結手段（６）として、ガイド孔（３２a）と負荷材幅方向における機体外方側のガイド孔（２０x）に対して上下に挿通されたボルト（６０）と該ボルト（６０）に装着されるナット（６１）を備えた締結手段（６a）と、ガイド孔（３２b）とガイド孔（２０x）に対して上下に挿通されたボルト（６０）と該ボルト（６０）に装着されるナット（６１）を備えた締結手段（６b）を有し、
締結手段（７）として、ボルト挿通孔（４２a）とガイド孔（２０x）に対して上下に挿通されたボルト（７０）と該ボルト（７０）に装着されるナット（７１）を備えた締結手段（７a）と、ボルト挿通孔（４２b）とガイド孔（２０y）に対して上下に挿通されたボルト（７０）と該ボルト（７０）に装着されるナット（７１）を備えた締結手段（７b）を有することを特徴とする運搬用パレット。
【００１１】
［4］上記［1］〜［3］のいずれかの運搬用パレットにおいて、負荷材（２）に、ガイド孔（２０）に挿通されたボルト（８０）と該ボルト（８０）に装着されるナット（８１）を備えた物品連結手段（８）を負荷材長手方向でスライド移動可能に設け、負荷材（２）に載置された物品側の部材に形成された挿通孔にボルト（８０）を挿通させてボルト（８０）・ナット（８１）を締め込むことにより、負荷材（２）に載置された物品と負荷材（２）を連結できるようにしたことを特徴とする運搬用パレット。
［5］上記［1］〜［4］のいずれかの運搬用パレットにおいて、支持体（１）が、負荷材（２）を支持する本体部（１０）と、該本体部（１０）を支える複数本の脚部（１１）と、該脚部（１１）の上部に連成される柱部（１２）を備え、
各脚部（１１）の下端と各柱部（１２）の上端のうち、いずれか一方に嵌合用穴部（１３）が、他方に嵌合用凸部（１４）がそれぞれ設けられ、パレットを上下に重ねた際に、一方のパレットの嵌合用穴部（１３）に他方のパレットの嵌合用凸部（１４）が嵌合されるようにしたことを特徴とする運搬用パレット。
【００１２】
［6］上記［1］〜［5］のいずれかの運搬用パレットにおいて、１対の拘束金具（３）を２組以上有することを特徴とする運搬用パレット。
［7］上記［1］〜［6］のいずれかの運搬用パレットにおいて、さらに、１対の負荷材（２）間で支持体（１）に支持される１つ以上の負荷材（２Ａ）と、該負荷材（２Ａ）に支持され、負荷材（２），（２Ａ）に載置された物品を、１対の拘束金具（３）による拘束方向と直交する方向で両側から挟んで拘束する１対の拘束金具（４Ａ）とを備え、
負荷材（２Ａ）は、支持体（１）に水平方向で且つ負荷材（２）に対して接近離間する方向にスライド移動可能に支持されるとともに、負荷材（２Ａ）を支持体（１）に締結する締結手段（５Ａ）により、任意のスライド移動位置において支持体（１）に固定可能であり、
各拘束金具（４Ａ）は、負荷材（２Ａ）に負荷材長手方向にスライド移動可能に支持されるとともに、拘束金具（４Ａ）を負荷材（２Ａ）に締結する締結手段（７Ａ）により、任意のスライド移動位置において負荷材（２Ａ）に固定可能であることを特徴とする運搬用パレット。
【発明の効果】
【００１３】
本発明の運搬パレットは、物品をそのサイズや形状に応じて適切に拘束・固定することができるとともに、物品の拘束手段の位置調整を簡単且つ迅速に行うことができ、このため、精密製品などの物品を安全に輸送することができ、また、パレットに対する物品のセットや物品の取り外しなども簡単且つ迅速に行うことができる。
【図面の簡単な説明】
【００１４】
【図１】本発明の運搬パレットの一実施形態を示す斜視図
【図２】図1の実施形態の運搬パレットの平面図
【図３】図1の実施形態の運搬パレットの正面図
【図４】図1の実施形態の運搬パレットの側面図
【図５】図２中のＡ−Ａ線に沿う断面図
【図６】図２中のＢ−Ｂ線に沿う断面図
【図７】図２中のＣ−Ｃ線に沿う断面図
【図８】図２中のＤ−Ｄ線に沿う断面図
【図９】図２中のＥ−Ｅ線に沿う断面図
【図１０】本発明の運搬パレットの他の実施形態を示す平面図
【発明を実施するための形態】
【００１５】
図１〜図９は、本発明の運搬パレットの一実施形態を示すもので、図１は斜視図、図２は平面図、図３は正面図、図４は側面図、図５は図２中のＡ−Ａ線に沿う断面図、図６は図２中のＢ−Ｂ線に沿う断面図、図７は図２中のＣ−Ｃ線に沿う断面図、図８は図２中のＤ−Ｄ線に沿う断面図、図９は図２中のＥ−Ｅ線に沿う断面図である。
【００１６】
この運搬パレットは、支持体１と、この支持体１に並列した状態で支持される１対の負荷材２と、この１対の負荷材２にそれぞれ支持され、負荷材２に載置された物品を一方向で両側から挟んで拘束する１対の拘束金具３と、各負荷材２の長手方向における拘束金具３の両側位置において、各負荷材２にそれぞれ支持され、負荷材２に載置された物品を、前記１対の拘束金具３による拘束方向と直交する方向で両側から挟んで拘束する１対の拘束金具４を備えている。
【００１７】
支持体１は、負荷材２を支持するフレーム状の本体部１０と、この本体部１０を支える４本の脚部１１と、各脚部１１の上部に連成される柱部１２などを備えており、これらは角パイプを組み立て・接合して構成されている。
支持体１（本体部１０）の両側部には、負荷材長手方向と直交する方向に沿ったガイド孔１００が形成されている。この実施形態では、本体部１０の対向する２辺のフレーム部に断面門型の１対の部材１０２（ガイドレール）が固定され、この部材１０２の長手方向に沿ってガイド孔１００が形成されている。なお、フレーム状の本体部１０の中央には、補強用の梁部１０１が設けられている。
【００１８】
１対の負荷材２は、支持体１（本体部１０）に水平方向で且つ互いに接近離間する方向（図１の矢印ｄ１方向）にスライド移動可能に支持されるとともに、負荷材２を支持体１に締結する締結手段５により、任意のスライド移動位置において支持体１に固定可能となっている。
各負荷材２には、その長手方向に沿ってガイド孔２０が形成されるが、本実施形態では、このガイド孔２０として、各負荷材２の幅方向両側部に１対のガイド孔２０x，２０yが形成されている。各負荷材２は、角パイプなどで構成される本体２２と、その両側に固定された断面門型の１対の部材２３（ガイドレール）からなり、ガイド孔２０x，２０yは、この１対の部材２３の長手方向に沿って形成されている。また、各負荷材２（本体２２）の両端部にはボルト挿通孔２１が形成されている。
【００１９】
図５に示すように、締結手段５は、ボルト挿通孔２１とガイド孔１００に対して上下に挿通されたボルト５０と該ボルト５０に装着されるナット５１を備えており、各負荷材２は、ボルト５０がガイド孔１００に案内されることで、支持体１に対してスライド移動可能であるとともに、任意のスライド移動位置において締結手段５のボルト５０・ナット５１を締め込むことにより支持体１に対して固定可能である。
ここで、ボルト５０は、そのボルト頭側（本実施形態ではフランジ部材５２が接合されたボルト頭）がガイド孔１００の両側部位の下面（ガイドレールである部材１０２の下面）に係合するように、ボルト軸がガイド孔１００とボルト挿通孔２１に挿通され、ガイド孔１００とボルト挿通孔２１から突き出たボルト軸にワッシャ５３とナット５１が装着されている。
【００２０】
各拘束金具３は、負荷材２に負荷材長手方向（図１の矢印ｄ２方向）及び負荷材幅方向（図１の矢印ｄ３方向）にスライド移動可能に支持されるとともに、拘束金具３を負荷材２に締結する締結手段６により、任意のスライド移動位置において負荷材２に固定可能である。
各拘束金具３は、負荷材２の上面にスライド移動可能に当接する基板部３０と、この基板部３０の一端側に立設され、負荷材２に載置された物品に当接する拘束部３１を有している。基板部３０には、負荷材幅方向に沿ってガイド孔３２が形成されるが、本実施形態では、このガイド孔３２として、負荷材長手方向で並列して１対のガイド孔３２a，３２bが形成されている。
【００２１】
図６及び図７に示すように、締結手段６は、ガイド孔３２とガイド孔２０に対して上下に挿通されたボルト６０とこのボルト６０に装着されるナット６１を備え、各拘束金具３は、ボルト６０がガイド孔３２とガイド孔２０に案内されることで、負荷材２に対して負荷材長手方向及び負荷材幅方向にスライド移動可能であるとともに、任意のスライド移動位置において締結手段６のボルト６０・ナット６１を締め込むことにより負荷材２に対して固定可能である。
【００２２】
本実施形態では、締結手段６として、ガイド孔３２aと負荷材幅方向における機体外方側のガイド孔２０xに対して上下に挿通されたボルト６０とこのボルト６０に装着されるナット６１を備えた締結手段６aと、ガイド孔３２bとガイド孔２０xに対して上下に挿通されたボルト６０とこのボルト６０に装着されるナット６１を備えた締結手段６bを有している。
ここで、ボルト６０は、そのボルト頭側（本実施形態ではフランジ部材６２が接合されたボルト頭）がガイド孔２０xの両側部位の下面（ガイドレールである部材２３の下面）に係合するように、ボルト軸がガイド孔２０xとガイド孔３２（ガイド孔３２a，３２b）に挿通され、ガイド孔２０xとガイド孔３２（ガイド孔３２a，３２b）から突き出たボルト軸にワッシャ６３とナット６１が装着されている。
【００２３】
各拘束金具４は、負荷材２に負荷材長手方向（図１の矢印ｄ４方向）にスライド移動可能に支持されるとともに、拘束金具４を負荷材２に締結する締結手段７により、任意のスライド移動位置において負荷材２に固定可能である。
各拘束金具４は、負荷材２の上面にスライド移動可能に当接する基板部４０と、この基板部４０の一端側に立設され、負荷材２に載置された物品に当接する拘束部４１を有している。基板部４０にはボルト挿通孔４２が形成されるが、本実施形態では、このボルト挿通孔４２として、負荷材幅方向で並列して１対のボルト挿通孔４２a，４２bが形成されている。
【００２４】
図８に示すように、締結手段７は、ボルト挿通孔４２とガイド孔２０に対して上下に挿通されたボルト７０とこのボルト７０に装着されるナット７１を備え、各拘束金具４は、ボルト７０がガイド孔２０に案内されることで、負荷材２に対して負荷材長手方向にスライド移動可能であるとともに、任意のスライド移動位置において締結手段７のボルト７０・ナット７１を締め込むことにより負荷材２に対して固定可能である。
【００２５】
本実施形態では、締結手段７として、ボルト挿通孔４２aとガイド孔２０xに対して上下に挿通されたボルト７０とこのボルト７０に装着されるナット７１を備えた締結手段７aと、ボルト挿通孔４２bとガイド孔２０yに対して上下に挿通されたボルト７０とこのボルト７０に装着されるナット７１を備えた締結手段７bを有している。
ここで、ボルト７０は、そのボルト頭側（本実施形態ではフランジ部材７２が接合されたボルト頭）がガイド孔２０（ガイド孔２０x，２０y）の両側部位の下面（ガイドレールである部材２３の下面）に係合するように、ボルト軸がガイド孔２０とボルト挿通孔４２（ボルト挿通孔４２a，４２b）に挿通され、ガイド孔２０とボルト挿通孔４２から突き出たボルト軸にナット７１が装着されている。
【００２６】
さらに、図２及び図９に示すように、各負荷材２には、ガイド孔２０（ガイド孔２０y）に挿通されたボルト８０とこのボルト８０に装着されるナット８１を備えた物品連結手段８が、負荷材長手方向でスライド移動可能に設けられている（なお、図１では物品連結手段８は省略してある）。ここで、ボルト８０は、そのボルト頭側（本実施形態ではフランジ部材８２が接合されたボルト頭）がガイド孔２０の両側部位の下面（ガイドレールである部材２３の下面）に係合するように、ボルト軸がガイド孔２０に挿通され、ガイド孔２０から突き出たボルト軸にワッシャ８３とナット８１が装着されている。
この物品連結手段８は、ガイド孔２０に挿通させたボルト８０を、負荷材２に載置された物品Ｇ側の部材に形成された挿通孔ｇに挿通させてボルト８０・ナット８１を締め込むことにより、負荷材２に載置された物品Ｇと負荷材２を連結できるようにしている。
【００２７】
また、支持体１は、各脚部１１の下端に嵌合用穴部１３が、各柱部１２の上端に嵌合用凸部１４がそれぞれ設けられており、パレットを上下に重ねた際に、一方のパレットの嵌合用穴部１３に他方のパレットの嵌合用凸部１４が嵌合されるようになっている。なお、嵌合用穴部１３を各柱部１２の上端に、嵌合用凸部１４を各脚部１１の下端に設けるようにしてもよい。
【００２８】
本発明の運搬パレットでは、１対の拘束金具３を２組以上設けることができ、また、１対の負荷材２間に、さらなる負荷材を１つ以上設けることができる。
図１０は、そのような運搬パレットの一実施形態（平面図）を示している。
この実施形態では、各負荷材２に２つの拘束金具３が設けられることで、１対の拘束金具３を２組備えている。これら拘束金具３や締結手段６の具体的な構成は、図１〜図９の実施形態と同様である。
また、この実施形態では、１対の負荷材２間で支持体１に支持される負荷材２Ａと、この負荷材２Ａに支持され、負荷材２，２Ａに載置された物品を、１対の拘束金具３による拘束方向と直交する方向で両側から挟んで拘束する１対の拘束金具４Ａを備えている。
【００２９】
負荷材２Ａは、支持体１に水平方向で且つ負荷材２に対して接近離間する方向にスライド移動可能に支持されるとともに、負荷材２Ａを支持体１に締結する締結手段５Ａにより、任意のスライド移動位置において支持体１に固定可能である。
各拘束金具４Ａは、負荷材２Ａに負荷材長手方向にスライド移動可能に支持されるとともに、拘束金具４Ａを負荷材２Ａに締結する締結手段７Ａにより、任意のスライド移動位置において負荷材２Ａに固定可能である。
なお、負荷材２Ａ、拘束金具４Ａ、締結手段７Ａの具体的な構成は、図１〜図９の実施形態における負荷材２、拘束金具４、締結手段７と同様である。
【００３０】
本発明の運搬パレットを使用する場合、対象とする物品Ｇのサイズに合せて１対の負荷材２の間隔を調整した上で、締結手段５のボルト５０・ナット５１を締め込んで負荷材２（図１０の実施形態ではさらに負荷材２Ａ）を支持体１に固定する。負荷材２（図１０の実施形態ではさらに負荷材２Ａ）の上に物品Ｇを載置した後、拘束金具３と拘束金具４（図１０の実施形態ではさらに拘束金具４Ａ）をスライド移動させて、それらの拘束部３１，４１を物品Ｇに密着当接させた後、締結手段６のボルト６０・ナット６１と締結手段７のボルト７０・ナット７１（図１０の実施形態ではさらに締結手段７Ａのボルト７０・ナット７１）をそれぞれ締め込んで、拘束金具３と拘束金具４（図１０の実施形態ではさらに拘束金具４Ａ）をその位置で負荷材２に固定する。また、必要に応じて、物品連結手段８により物品Ｇと負荷材２を連結する。以上により、物品Ｇのパレットへの据え付けと拘束・固定が完了する。
【００３１】
本発明の運搬用パレットは、物品Ｇをそのサイズや形状に応じて適切に拘束・固定することができ、また、物品の拘束手段の位置調整も、負荷材２や拘束金具３、拘束金具４、４Ａをスライド移動させて締結手段で締結するだけでよいため、簡単且つ迅速に行うことができる。
なお、本発明の運搬用パレットは、いわゆる腰下やコンテナの一部としても用いることができる。
【符号の説明】
【００３２】
１  支持体
２，２Ａ  負荷材
３  拘束金具
４，４Ａ  拘束金具
５，５Ａ  締結手段
６，６a，６b  締結手段
７，７a，７b，７Ａ  締結手段
８  物品連結手段
１０  本体部
１１  脚部
１２  柱部
１３  嵌合用穴部
１４  嵌合用凸部
２０，２０x，２０y  ガイド孔
２１  ボルト挿通孔
２２  本体
２３  部材（ガイドレール）
３０  基板部
３１  拘束部
３２，３２a，３２b  ガイド孔
４０  基板部
４１  拘束部
４２，４２a，４２b  ボルト挿通孔
５０  ボルト
５１  ナット
５２  フランジ部材
５３  ワッシャ
６０  ボルト
６１  ナット
６２  フランジ部材
６３  ワッシャ
７０  ボルト
７１  ナット
７２  フランジ部材
７３  ワッシャ
８０  ボルト
８１  ナット
８２  フランジ部材
８３  ワッシャ
１００  ガイド孔
１０１  梁部
１０２  部材（ガイドレール）
【図１】
2018104021.tif 000003
【図２】
2018104021.tif 000004
【図３】
2018104021.tif 000005
【図４】
2018104021.tif 000006
【図５】
2018104021.tif 000007
【図６】
2018104021.tif 000008
【図７】
2018104021.tif 000009
【図８】
2018104021.tif 000010
【図９】
2018104021.tif 000011
【図１０】
2018104021.tif 000012